(57)【要約】本発明は、ＩＰＴＶやＰＣで有料放送コンテンツを視聴しようとする顧客が広告受信許容を選択した場合、放送サービス提供者が顧客から視聴料を受ける代わりに、前もって広告費を出すことを約束した広告主からお金を得て、顧客に有料放送コンテンツを伝送した後、一定周期で画面分割技術を適用し、メインである放送コンテンツとは構わずに分割された画面を生成し、広告主の広告コンテンツを提供する方法に関する。【選択図】  なし
2013516831.tif 000002
【特許請求の範囲】
【請求項１】
有無線ネットワークで連結された広告主端末、広告管理サーバー、放送管理サーバー及び顧客端末を利用した放送サービス方法において、
（ａ）前記広告主端末が前記広告管理サーバーに接続すれば、前記広告管理サーバーが、ユーザ認証を行った後、広告主に広告コンテンツ管理用Ｕ／Ｉを提供する段階と；
（ｂ）前記顧客端末が前記放送管理サーバーに放送コンテンツ伝送要請をすれば、前記放送管理サーバーが、前記顧客端末にユーザ認証を行った後、広告コンテンツ許容可否を確認要請する段階と；
（ｃ）前記顧客端末が広告コンテンツ許容を選択すれば、前記放送管理サーバーが、前記顧客端末のマルチ画面を制御する制御モジュールを伝送して設置する段階と；
（ｄ）前記放送管理サーバーが、既定の画面分割設定情報を前記顧客端末に伝送する段階と；
（ｅ）前記放送管理サーバーが、前記顧客端末に放送コンテンツを無料で伝送する段階と；
（ｆ）前記広告管理サーバーが、顧客端末の顧客情報からＩＰ住所を通じて前記ＩＰ住所を目標とする広告主を選定し、選定された広告主の広告コンテンツを顧客端末に伝送する段階と；
（ｇ）前記顧客端末に設置された制御モジュールを用いて画面分割設定情報を解釈し、顧客端末の全体画面をメイン画面とサブ画面に分割し、前記メイン画面には放送コンテンツを、前記サブ画面には広告コンテンツを同時に再生する段階と；を有する
ことを特徴とする視聴者の広告許容によって放送コンテンツを無料で提供する放送サービス方法。
【請求項２】
前記（ａ）段階が、
（ａ−１）前記広告主端末が前記広告管理サーバーに広告コンテンツ登録を要請すれば、前記広告管理サーバーが、ユーザ認証を行う段階と；
（ａ−２）前記広告管理サーバーが、前記ユーザ認証を行った後、広告主端末に広告コンテンツ管理用Ｕ／Ｉを提供し、広告主の基本情報、広告を希望する目標顧客情報及び広告コンテンツ類型に相当する広告コンテンツ情報を登録／アップデート管理する段階と；
（ａ−３）前記広告管理サーバーが、アップデートされた情報に基づいて広告管理テーブルデータベースを生成する段階と；を有する
請求項１に記載の視聴者の広告許容によって放送コンテンツを無料で提供する放送サービス方法。
【請求項３】
前記（ｆ）段階が、
（ｆ−１）前記顧客端末が広告コンテンツ許容を選択すれば、前記放送管理サーバーが、顧客端末の顧客情報を受信し、前記広告管理サーバーに伝送する段階と；
（ｆ−２）前記広告管理サーバーが、前記広告管理テーブルデータベースに基づいて前記顧客情報から顧客端末のＩＰ住所を目標とする広告主を選定する段階と；
（ｆ−３）前記選定された広告主の広告コンテンツを目標顧客端末に伝送する段階と；を有する
請求項２に記載の視聴者の広告許容によって放送コンテンツを無料で提供する放送サービス方法。
【請求項４】
前記（ｇ）段階が、
（ｇ−１）前記制御モジュールを用いて前記画面分割設定情報に指定された全体画面の形態、広告コンテンツ駆動用サブ画面の再生時間／周期、前記サブ画面に入る広告コンテンツの類型による駆動プレーヤー、広告コンテンツの保存経路などに関する値などを解釈する段階と；
（ｇ−２）前記保存経路からリアルタイムストリーミング形式で呼び出して前記サブ画面で広告コンテンツを再生する段階と；を有する
請求項１に記載の視聴者の広告許容によって放送コンテンツを無料で提供する放送サービス方法。
【請求項５】
（ｉ）前記広告管理サーバーが、前記放送管理サーバーから広告コンテンツが顧客端末に何回露出されたかの情報を受けて、露出された回数だけ定められた広告費用と取引手数料を広告主の積立金で清算する段階と；
（ｊ）前記広告費用と取引手数料清算情報データベースを生成、保存する段階と；
（ｋ）前記広告管理サーバーが、前記広告主の積立金が不足する場合、広告露出を制限する段階と；を有する
請求項１に記載の視聴者の広告許容によって放送コンテンツを無料で提供する放送サービス方法。
【請求項６】
（ｌ）前記顧客端末に再生される広告コンテンツを選択した場合、放送管理サーバーに広告主情報を要請する段階と；
（ｍ）前記放送管理サーバーが、既定の画面分割設定情報を前記顧客端末に再伝送する段階と；
（ｎ）前記顧客端末に設置された制御モジュールを用いて前記再伝送された画面分割設定情報を解釈し、顧客端末の前記全体画面をメイン画面とサブ画面に再分割する段階と；
（ｏ）前記広告管理サーバーが、顧客端末に表出する広告コンテンツ、注文方法、予約方法または決済方法情報が含まれた広告情報リスト画面Ｕ／Ｉを前記再分割されたサブ画面に提供する段階と；を有する
請求項１または５に記載の視聴者の広告許容によって放送コンテンツを無料で提供する放送サービス方法。
【請求項７】
前記（ｎ）段階が、
（ｎ−１）前記制御モジュールを用いて前記再伝送された画面分割設定情報に指定された全体画面の形態、広告コンテンツ駆動用サブ画面の再生時間／周期、前記サブ画面に入る広告コンテンツの類型、駆動プレーヤー、広告コンテンツの保存経路などに関する値などを解釈する段階と；
（ｎ−２）前記保存経路からリアルタイムストリーミング形式で呼び出して前記サブ画面で広告コンテンツを再生する段階と；を有する
請求項６に記載の視聴者の広告許容によって放送コンテンツを無料で提供する放送サービス方法。
【発明の詳細な説明】
【技術分野】
【０００１】
本発明は、ＩＰＴＶやＰＣで有料放送コンテンツを視聴しようとする顧客が広告受信許容を選択した場合、放送サービス提供者が顧客から視聴料を受ける代わりに、前もって広告費を出すことを約束した広告主からお金をもらって、顧客に有料放送コンテンツを伝送した後、一定周期で画面分割技術を適用し、メインである放送コンテンツとは関係なく、分割された画面を生成し、広告主の広告コンテンツを提供する方法に関する。
【背景技術】
【０００２】
従来のＩＰＴＶやＰＣのＶＯＤ（注文型ビデオ）サービスの場合、メインコンテンツを提供する前に、広告を表出するか、またはコンテンツを多数のセッションに区分し、各セッションが終わる度に広告主のコンテンツを表出しながら、コンテンツ提供者である放送業社は広告主から収益を取る方法が一般的である。
【０００３】
最近、ＩＰＴＶが一般化されており、ＰＣでインターネットを利用して各種放送コンテンツを伝送されて視聴している傾向にあるが、実際的にＩＰＴＶやインターネットＰＣのビデオコンテンツサービスは、有料化サービスが一般化されていて、視聴者である顧客の立場では、有料放送コンテンツを受信するのを負担に感じるか、または嫌がっていることが実情である。言い換えれば、ＩＰＴＶサービスを利用する顧客の立場では、誰も有料放送サービスをより安価で、または無料で利用したいと考えている。
【０００４】
したがって、このような顧客の要求を反映し、インターネットを利用して有料放送コンテンツを提供する放送コンテンツ提供者や韓国でＩＰＴＶの事業を行うＫＴ、ＳＫブロードバンド、ＬＧ  Ｄａｃｏｍなどの有料放送コンテンツ提供者は、顧客に負担とならないようにしながらも、ＩＰＴＶ事業などに対する付加収益を創出することができる差別化されたサービスが要求されている実情である。
【０００５】
また、広告主の立場から見れば、インターネットを介したＶＯＤサービスを利用するか、またはＩＰＴＶサービスを利用する顧客に広告効果を極大化することができる広告モデルを創出することが必要であり、特に安価の費用で広告をしながらも直接的な売上との連携が可能な収益モデルの創出も必要である。特に、現行放送法の範疇でケーブルテレビやＳｋｙｌｉｆｅのように実時間放送では、字幕広告はできないようになっているが、インターネット上でＰＣを利用した注文型ビデオ放送コンテンツやＩＰＴＶサービスの注文型ビデオ放送コンテンツには、有・無料コンテンツを問わず、広告をしてもよい点を利用したら、これと連携された広告サービスは、広告主が活用するのに最適の背景になることができる。
【発明の概要】
【発明が解決しようとする課題】
【０００６】
本発明は、インターネットを利用したＩＰＴＶやＰＣへの放送コンテンツ提供者には新しい収益創出モデルを提示し、広告主には上記放送コンテンツサービスと連携された広告コンテンツ提供のソースを提供し、さらに顧客には無料で有料放送コンテンツを見ることができるようにして、すべてに満足を与えることができる放送サービス方法を提供することを課題とする。
【０００７】
また、本発明の他の課題は、画面分割技術を利用して顧客端末の全体画面を分割し、放送コンテンツを受信しながらも同時に広告主の広告コンテンツを周期的に露出させて、放送コンテンツに集中している顧客に広告効果をさらに高めることができるように連携された放送サービスを提示することにある。
【０００８】
また、本発明のさらに他の課題は、放送コンテンツ提供者は、広告主が所望の目標顧客にオーダーメード型広告の提供が可能となるように構成された放送サービスを提示することにある。
【課題を解決するための手段】
【０００９】
上記課題を達成するために、本発明は、有無線ネットワークで連結された広告主端末、広告管理サーバー、放送管理サーバー及び顧客端末を利用した放送サービス方法において、（ａ）前記広告主端末が前記広告管理サーバーに接続すれば、前記広告管理サーバーは、ユーザ認証を行った後、広告主に広告コンテンツ管理用Ｕ／Ｉを提供する段階と；（ｂ）前記顧客端末が前記放送管理サーバーに放送コンテンツ伝送要請をすれば、前記放送管理サーバーは、前記顧客端末にユーザ認証を行った後、広告コンテンツ許容可否を確認要請する段階と；（ｃ）前記顧客端末が広告コンテンツ許容を選択すれば、前記放送管理サーバーは、前記顧客端末のマルチ画面を制御する制御モジュールを伝送して設置する段階と；（ｄ）前記放送管理サーバーは、既定の画面分割設定情報を前記顧客端末に伝送する段階と；（ｅ）前記放送管理サーバーは、前記顧客端末に放送コンテンツを無料で伝送する段階と；（ｆ）前記広告管理サーバーは、顧客端末の顧客情報からＩＰ住所を通じて前記ＩＰ住所を目標とする広告主を選定し、選定された広告主の広告コンテンツを顧客端末に伝送する段階と；（ｇ）前記顧客端末に設置された制御モジュールを用いて画面分割設定情報を解釈し、顧客端末の全体画面をメイン画面とサブ画面に分割し、前記メイン画面に放送コンテンツを、前記サブ画面に広告コンテンツを同時に再生する段階と；を備えてなることを特徴とする視聴者の広告許容によって放送コンテンツを無料で提供する放送サービス方法を提供する。
【００１０】
前記（ａ）段階は、（ａ−１）前記広告主端末が前記広告管理サーバーに広告コンテンツ登録を要請すれば、前記広告管理サーバーは、ユーザ認証を行う段階と；（ａ−２）前記広告管理サーバーは、前記ユーザ認証を行った後、広告主端末に広告コンテンツ管理用Ｕ／Ｉを提供し、広告主の基本情報、広告を希望する目標顧客情報及び広告コンテンツ類型に相当する広告コンテンツ情報を登録／アップデート管理する段階と；（ａ−３）前記広告管理サーバーは、アップデートされた情報に基づいて広告管理テーブルデータベースを生成する段階と；を備えてなることができる。
【００１１】
前記（ｆ）段階は、（ｆ−１）前記顧客端末が広告コンテンツ許容を選択すれば、前記放送管理サーバーは、顧客端末の顧客情報を受信し、前記広告管理サーバーに伝送する段階と；（ｆ−２）前記広告管理サーバーは、前記広告管理テーブルデータベースに基づいて前記顧客情報から顧客端末のＩＰ住所を目標とする広告主を選定する段階と；（ｆ−３）前記選定された広告主の広告コンテンツを目標顧客端末に伝送する段階と；を備えてなることができる。
【００１２】
前記（ｇ）段階は、（ｇ−１）前記制御モジュールを用いて前記画面分割設定情報に指定された全体画面の形態、広告コンテンツ駆動用サブ画面の再生時間／周期、前記サブ画面に入る広告コンテンツの類型による駆動プレーヤー、広告コンテンツの保存経路などに関する値などを解釈する段階と；及び（ｇ−２）前記保存経路からリアルタイムストリーミング形式で呼び出して前記サブ画面で広告コンテンツを再生する段階と；を備えてなることができる。
【００１３】
また、本発明は（ｉ）前記広告管理サーバーは、前記放送管理サーバーから広告コンテンツが顧客端末に何回露出されたかの情報を受けて、露出された回数だけ定められた広告費用と取引手数料を広告主の積立金で清算する段階と；（ｊ）前記広告費用と取引手数料清算情報データベースを生成、保存する段階と；（ｋ）前記広告管理サーバーは、前記広告主の積立金が不足する場合、広告露出を制限する段階と；をさらに備えてなることができる。
【００１４】
また、本発明は、（ｌ）前記顧客端末に再生される広告コンテンツを選択した場合、放送管理サーバーに広告主情報を要請する段階と；（ｍ）前記放送管理サーバーは、既定の画面分割設定情報を前記顧客端末に再伝送する段階と；（ｎ）前記顧客端末に設置された制御モジュールを用いて前記再伝送された画面分割設定情報を解釈し、顧客端末の前記全体画面をメイン画面とサブ画面に再分割する段階と；（ｏ）前記広告管理サーバーは、顧客端末に表出する広告コンテンツ、注文方法、予約方法または決済方法情報が含まれた広告情報リスト画面Ｕ／Ｉを前記再分割されたサブ画面に提供する段階と；をさらに備えてなることができる。
【００１５】
前記（ｎ）段階は、（ｎ−１）前記制御モジュールを用いて前記再伝送された画面分割設定情報に指定された全体画面の形態、広告コンテンツ駆動用サブ画面の再生時間／周期、前記サブ画面に入る広告コンテンツの類型、駆動プレーヤー、広告コンテンツの保存経路などに関する値などを解釈する段階と；（ｎ−２）前記保存経路からリアルタイムストリーミング形式で呼び出して前記サブ画面で広告コンテンツを再生する段階と；を備えてなることができる。
【発明の効果】
【００１６】
本発明による視聴者の広告許容によって有料放送コンテンツを無料で提供する放送サービス方法によると、次のような効果を奏することができる。
【００１７】
第一に、本発明によって顧客端末で広告を許容することによって、メイン画面を通じて放送コンテンツを最初から最後まで提供する間に、映像再生の断絶なしに画面分割の方法によりメインコンテンツである放送コンテンツとの重畳による毀損なしに画面の上下端または左右部分に広告主の広告コンテンツ（バナー、字幕、動画など）を同時に表出することによって、顧客に持続的に放送コンテンツを視聴することができるようにしながら、広告を同時に表出することができ、結局、放送コンテンツ提供者には新しい収益創出モデルを提示し、広告主には広告提供のソースを提供し、さらに顧客には無料で有料コンテンツを見ることができるようにして、すべてに満足を与えることができる効果をもたらす。
【００１８】
第二に、顧客端末の全体画面にフルで放送コンテンツが再生され、途中に画面分割が行なわれる場合、メイン画面は、元々のフルスクリーンコンテンツの映像画面よりサイズが縮小され、分割生成されたサブ画面には、広告主のコンテンツが表出され、元々の映像が隠されずに、字幕などがそのまま見られるようになり、顧客に不便さを与えることなく、分割されたサブ画面の広告コンテンツは、顧客に急に突出される効果があり、放送コンテンツに集中している顧客に広告効果をさらに高めることができる。
【００１９】
第三に、放送コンテンツ提供者は、広告管理サーバーで登録された顧客の情報（住所地、年齢帯、性別など）を有していて、広告主が前もって広告対象の目標顧客として登録したデータと比べて一致する広告主を選別し、分割画面の広告主として選定し、顧客端末に画面分割設定情報とともに放送コンテンツと広告コンテンツを伝送することによって、広告主は、目標顧客にオーダーメード型広告の提供が可能になる。
【図面の簡単な説明】
【００２０】
【図１】本発明の実施例による放送サービスシステム構成を示す説明図
【図２】本発明の実施例による視聴者の広告許容によって放送コンテンツを無料で提供する放送サービス方法の流れ図
【図３】本発明の実施例による広告許容による広告露出状態を示す画像
【図４】本発明の実施例による広告露出状態で広告を選択した場合に広告情報リスト画面Ｕ／Ｉが提供された状態を示す画像
【発明を実施するための形態】
【００２１】
本発明の最善の実施形態は、有無線ネットワークで連結された広告主端末、広告管理サーバー、放送管理サーバー及び顧客端末を利用した放送サービス方法において、（ａ）前記広告主端末が前記広告管理サーバーに接続すれば、前記広告管理サーバーは、ユーザ認証を行った後、広告主に広告コンテンツ管理用Ｕ／Ｉを提供する段階と；（ｂ）前記顧客端末が前記放送管理サーバーに放送コンテンツ伝送要請をすれば、前記放送管理サーバーは、前記顧客端末にユーザ認証を行った後、広告コンテンツ許容可否を確認要請する段階と；（ｃ）前記顧客端末が広告コンテンツ許容を選択すれば、前記放送管理サーバーは、前記顧客端末のマルチ画面を制御する制御モジュールを伝送して設置する段階と；（ｄ）前記放送管理サーバーは、既定の画面分割設定情報を前記顧客端末に伝送する段階と；（ｅ）前記放送管理サーバーは、前記顧客端末に放送コンテンツを無料で伝送する段階と；（ｆ）前記広告管理サーバーは、顧客端末の顧客情報からＩＰ住所を通じて前記ＩＰ住所を目標とする広告主を選定し、選定された広告主の広告コンテンツを顧客端末に伝送する段階と；（ｇ）前記顧客端末に設置された制御モジュールを用いて画面分割設定情報を解釈し、顧客端末の全体画面をメイン画面とサブ画面に分割し、前記メイン画面には放送コンテンツを、前記サブ画面には広告コンテンツを同時に再生する段階と；を備えてなることを特徴とする視聴者の広告許容によって放送コンテンツを無料で提供する放送サービス方法である。
【００２２】
以下、本発明による視聴者の広告許容によって有料コンテンツを無料で提供する放送サービス方法について、添付の図面を参照して詳しく説明する。
【００２３】
図１は、本発明の実施例による放送サービスシステムの構成図であり、図示のように、本発明の放送サービスシステムには、広告管理サーバー１２０と放送管理サーバー１４０とを含む放送コンテンツ提供者のヘッドエンド（ＨＥＡＤ  ＥＮＤ）システム１００と、セットトップボックスが装着され、広告コンテンツを提供する広告主の広告主端末２００と、同じくセットトップボックスが装着され、サービス加入者である顧客端末３００がネットワークで連結されて構成される。
【００２４】
前記広告管理サーバー１２０は、多数の広告を申請した広告主から広告主の基本情報、広告主が広告を希望する目標顧客情報（住所、年齢、性別）、広告コンテンツ類型選択（広告タイプ−バナー、字幕、映像など）及び各類型に該当する広告コンテンツを登録、アップデート管理することができるユーザインターフェース（Ｕ／Ｉ）１２１を広告主端末２００に提供し、広告管理テーブルＤＢ  １２２を生成し保存する。
【００２５】
これにより、前記広告主端末２００を通じて登録された広告コンテンツが保存されるように、前記広告管理サーバー１２０には放送コンテンツＤＢ  １２３が構成される。
【００２６】
また、広告管理サーバー１２０には、広告関連モジュール１２４が含まれていて、前記ユーザインターフェース１２０を通じて登録された広告コンテンツを特定日に、または特定期間に伝送する広告コンテンツ編成を行うことができ、同一顧客に広告コンテンツを表出することができる回数を前もって指定し、数回に限定、または無限伝送などを行うことができ、これにより、広告費用の決済及び広告金額の残額情報とともに一定期間の間に広告露出に関する情報ＤＢを生成／保存して管理することができるように構成される。
【００２７】
前記広告関連モジュール１２４は、放送管理サーバー１４０から広告主の広告が何回露出されたかの情報を受ける場合、広告主からあらかじめ積立された広告金額から露出回数だけ定められた広告費用が自動差引されて清算され、積立された広告金額の残額が不足する場合、広告露出を制限させるように制御する。
【００２８】
前記注文関連モジュール１２５は、顧客端末３００の画面に露出する広告をマウスクリックするか、またはリモートコントローラーなどを押圧して選択した場合、顧客端末３００に表出するコンテンツに関する情報（タイプ、価格など）、注文方法、決済方法などに関する情報が含まれた顧客管理画面である広告情報リスト画面ユーザインターフェース１２１を提供することができると共に、広告主端末２００には、顧客基本情報と注文情報、広告露出実績に関する情報などを画面に提供することができ、顧客端末３００の購買注文を受け付けた場合、インスタントメッセージなどの形態で広告主の注文受付状況に関する内容を顧客端末３００に伝送することができるように制御する。言い換えれば、顧客が広告情報リスト画面ユーザインターフェース１２１を通じて購買注文、配送要請、決済などを選択すれば、この情報を反映し、広告主が広告主端末２００を通じてインスタントメッセージなどを顧客端末３００に伝送しようとするとき、中継伝送する役目をする。
【００２９】
前記放送管理サーバー１４０は、放送コンテンツＤＢ１４４が構成され、広告主端末２００が広告管理サーバー１２０に接続するか、または顧客端末３００で有料放送コンテンツの伝送を要請すれば、ユーザ広告主／顧客ＤＢ１４３を通じて認証を行う。
【００３０】
また、顧客端末３００からユーザインターフェース１４１を通じて広告受信許容が選択されれば、顧客情報に基づいて広告管理サーバー１２０であらかじめ生成された広告管理テーブルＤＢ１２２の広告主の目標顧客情報と比較し、適した広告主を選定する。
【００３１】
また、放送管理サーバー１４０は、前もって画面分割設定情報ＤＢ  １４５で顧客端末３００が広告受信許容を選択する場合、送出する画面分割設定情報（画面分割類型−左側バナーと字幕、下端バナーと字幕などの情報と表出持続時間情報など）を生成し、顧客端末３００が広告受信許容を選択する場合、顧客端末３００に伝送し、画面分割の類型を表現することができる。
【００３２】
これにより、顧客端末３００は、放送コンテンツと広告主の広告コンテンツを伝送されて画面分割設定情報を解釈し、分割されたメイン画面に放送コンテンツと分割されたサブ画面に広告コンテンツを同時に再生する準備をすることができる。
【００３３】
但し、放送管理サーバー１４０は、画面分割設定情報には、あらかじめ指定された分割画面に表出する広告コンテンツが編成されていない場合には、画面分割の構成をしなくてもよい。何故なら、画面分割は行われているが、広告コンテンツがなければ、空きの空間として表示される問題が発生するからである。
【００３４】
前記顧客端末３００は、放送管理サーバー１４０で提供する有料放送コンテンツを選択した後、広告許容可否を確認する要請に対して「広告受信」を選択して広告を許容すれば、放送管理サーバー１４０から有料放送コンテンツとともに画面分割設定情報を伝送され、広告管理サーバー１２０から「広告主の広告コンテンツ」を受信される。
【００３５】
また、顧客端末３００は、放送管理サーバー１４０で制御モジュール１４２を受信し、前記画面分割設定情報を解釈し、有料放送コンテンツと広告コンテンツを一緒に分割された画面で再生する。
【００３６】
ここで、顧客端末３００に伝送される制御モジュール１４２は、顧客端末３００に設置され、放送管理サーバー１４０から伝送された画面分割設定情報を解釈し、画面分割設定情報によって顧客端末３００を制御し、分割されたそれぞれの画面に放送コンテンツと広告コンテンツを一緒に再生することができるモジュールを言う。
【００３７】
詳細には、本発明において１つの画面を２個以上に分割することによって適用されるサーバー基盤の多重プレーヤーアルゴリズムは、既存の単一プレーヤーとは異なって、１つの画面を２個以上に分割することによって、分割されたそれぞれの画面ごとにデータを駆動する独立的なプレーヤーが必要になり、それぞれの画面に具現されるデータ類型（動画、イメージ、テキスト）、再生時間、コンテンツを呼び出す経路などが異なることができるので、それぞれのプレーヤーは、独立的に運営されなければならないし、このすべての分割画面全体が１つのマルチ画面として調和に構成され得るように、全体をコントロールするモジュールが必要になり、このようなモジュールが制御モジュール１４２である。もちろん、このような制御モジュール１４２が既に設置されている顧客端末３００の場合、前述のような手続が省略されることができることは当業者に自明だろう。
【００３８】
また、前記制御モジュール１４２を用いて画面分割設定情報に指定された全体画面の形態、広告コンテンツ駆動用サブ画面の再生時間／周期、前記サブ画面に入る広告コンテンツの類型による駆動プレーヤー、広告コンテンツの保存経路などに関する値などを解釈し、前記保存経路からリアルタイムストリーミング形式で呼び出して、前記サブ画面で広告コンテンツを再生するように制御する。
【００３９】
より詳細には、前記制御モジュール１４２によって放送コンテンツと広告コンテンツは、ＸＭＬなどのＤＢ設計アルゴリズムによってマルチ画面が具現されるようにする方式で行なわれる。
【００４０】
結局、顧客端末３００の全体画面にフルで放送コンテンツが再生され、途中に画面分割が行なわれる場合、メイン画面は、元々のフルスクリーンコンテンツの映像画面よりサイズが縮小され、分割生成されたサブ画面には、広告主のコンテンツが表出され、元々の映像が隠されずに、メイン画面の字幕などがそのまま見られるようになり、顧客に不便さを与えることなく、分割されたサブ画面の広告コンテンツは、顧客に急に突出される効果があり、放送コンテンツに集中している顧客に広告効果を高めることができる。
【００４１】
また、顧客端末３００に放送コンテンツがメイン画面で再生される間に、画面分割によって広告コンテンツがサブ画面に露出する場合、顧客が広告コンテンツを選択（ＩＰＴＶではリモートコントローラー、ＰＣではマウスでクリックなど）すれば、メイン画面は縮小され、左右側または上・下端の空間に広告管理サーバー１２０を通じて広告主があらかじめ作成した広告情報リスト画面ユーザインターフェース１２１が現われ、これにより、顧客は、広告情報リスト画面ユーザインターフェース１２１を通じて放送コンテンツを視聴しながら注文、決済、配送要請を同時に進行することができる。
【００４２】
また、広告主は、広告主に設置された広告主端末２００を通じて顧客端末３００から受け付けた注文情報に基づいて顧客端末に「注文がよく受付されましたまたは今注文した物品を配送しました」などのインスタントメッセージを生成して伝送すれば、顧客端末３００を通じてインスタントメッセージが表出されることができる。
【００４３】
以下、本発明による視聴者の広告許容によって有料放送コンテンツを無料で提供する放送サービス方法に関するプロセスをさらに詳しく説明する。
【００４４】
図２は、本発明の実施例による広告許容によって有料放送コンテンツを無料で提供する放送サービス方法の流れ図であり、図３は、本発明の実施例による広告許容による広告露出状態を示す状態図であり、図４は、本発明の実施例による広告露出状態で広告を選択した場合に広告情報リスト画面Ｕ／Ｉが提供された状態を示す状態図である。
【００４５】
広告主端末２００が広告管理サーバー１２０に接続すれば（Ｓ３００）、前記広告管理サーバー１２０は、ユーザ認証を行った後（Ｓ３０２）、広告主に広告コンテンツ管理用ユーザインターフェース１２１を提供する（Ｓ３０４）。
【００４６】
すなわち、広告管理サーバー１２０は、広告主端末２００に広告コンテンツ管理用ユーザインターフェース１２１を提供し、広告主の基本情報、広告を希望する目標顧客情報及び広告コンテンツ類型に相当する広告コンテンツ情報を入力されて、登録／アップデート管理する（Ｓ３０６）。
【００４７】
前記広告主端末２００で広告主、目標顧客及び広告コンテンツの登録／アップデート登録された情報が広告管理サーバー１２０に伝送されれば（Ｓ３０８）、前記広告管理サーバーは、アップデートされた情報に基づいて広告管理テーブルデータベースを生成する（Ｓ３１０）。
【００４８】
次に、前記顧客端末３００で前記放送管理サーバー１４０に放送コンテンツ伝送要請をすれば（Ｓ３２０）、前記放送管理サーバー１４０は、前記顧客端末３００にユーザ認証を行った後（Ｓ３２２）、認証に成功した場合、ユーザインターフェース１４１を通じて広告コンテンツ許容可否を確認要請する（Ｓ３２４）。
【００４９】
顧客端末３００が、ユーザインターフェース１４１を通じて広告コンテンツ許容可否確認要請（Ｓ３２６）に許容を選択すれば（Ｓ３２８）、放送管理サーバー１４０は、広告管理サーバー１２０に顧客情報を提供し（Ｓ３３０）、また、顧客端末のマルチ画面を制御する制御モジュール１４２を顧客端末３００に伝送する（Ｓ３３２）。
【００５０】
顧客端末３００に制御モジュール１４２が設置された後（Ｓ３３４）、放送管理サーバー１４０は、既定の画面分割設定情報を顧客端末３００に伝送し（Ｓ３３６）、前記制御モジュール１４２は、画面分割設定情報を解釈し（Ｓ３３８）、放送管理サーバー１４０は、前記顧客端末に放送コンテンツを無料で伝送する（Ｓ３４０）。
【００５１】
また、顧客情報を提供された広告管理サーバー１２０は、広告主の目標顧客であるか否かを判断するために、顧客端末のＩＰ住所を通じて前記ＩＰ住所を目標にして相互マッチングされる広告主を選定し（Ｓ３４２）、選定された広告主の広告コンテンツを顧客端末３００に伝送する（Ｓ３４４）。
【００５２】
より詳しく説明すれば、顧客情報を提供された広告管理サーバー１２０は、広告関連モジュール１２４で広告管理テーブルデータベースＤＢに基づいて前記顧客情報を通じて顧客端末のＩＰ住所を目標にしてマッチングされる広告主を選定し、選定された広告主の広告コンテンツを目標する顧客端末３００に伝送する。
【００５３】
図３を参照すれば、前記顧客端末３００は、放送コンテンツ及び広告コンテンツをそれぞれ受信し（Ｓ３４６）、前記顧客端末に設置された制御モジュール１４２を通じて画面分割設定情報を解釈し、顧客端末の全体画面をメイン画面とサブ画面に分割し、前記メイン画面に放送コンテンツを前記サブ画面に露出した広告コンテンツを同時に再生し始める（Ｓ３４８）。
【００５４】
勿論、上記の放送コンテンツや広告主の広告コンテンツは、目標する顧客端末３００に特化された広告コンテンツで構成されることができ、例えば、メイン画面にＩＰＴＶ一般放送コンテンツが再生されると共に、サブ画面に顧客の自己ＰＲ広告コンテンツが再生されるように構成するか、またはメイン画面に本社で運営する放送コンテンツが再生されると共に、サブ画面に個別加盟店で自己ＰＲ広告コンテンツが再生されるように、フランチャイズＣＵＧ放送を構成することができる。すなわち、放送コンテンツ提供者は、広告主が所望の目標顧客にオーダーメード型広告の提供が可能となるように構成された放送サービスを提示する。
【００５５】
もし、顧客端末３００がユーザインターフェース１４１を通じて広告コンテンツ許容可否確認要請（Ｓ３２６）に許容を選択しなければ、決済課金認証を行い（Ｓ３５０）、有料で放送コンテンツを伝送される（Ｓ３８２）。
【００５６】
次に、前記広告管理サーバー１２０の広告関連モジュール１２４は、前記放送管理サーバー１４０から広告コンテンツが顧客端末３００に何回露出されたかの情報を受けて、露出された回数だけ定められた広告費用と取引手数料を広告主の積立金で清算し（Ｓ３５２）、前記広告費用と取引手数料清算情報データベースを生成、保存する（Ｓ３５４）。
【００５７】
この際、前記広告管理サーバー１２０の広告関連モジュール１２４は、前記広告主の積立金が不足する場合、広告露出を制限するようにプログラムされて構成されることができる。
【００５８】
次に、前記顧客端末で再生される広告コンテンツを選択（ＩＰＴＶではリモートコントローラー、ＰＣではマウスでクリックなど）した場合（Ｓ３５６）、顧客端末３００は、放送管理サーバー１４０に広告主情報を要請し（Ｓ３５８）、前記放送管理サーバー１４０は、既定の画面分割設定情報を前記顧客端末３００に再伝送する（Ｓ３６０）。
【００５９】
この際、前記顧客端末３００に設置された制御モジュール１４２を通じて前記再伝送された画面分割設定情報を解釈し（Ｓ３６２）、図４を参照すれば、顧客端末３００の前記全体画面をメイン画面とサブ画面に再分割し、前記広告管理サーバー１２０は、注文関連モジュール１２５を通じて前記再分割されたサブ画面に表出する広告コンテンツ、注文方法、予約方法または決済方法情報が含まれた広告情報リスト画面ユーザインターフェース１２１を提供し（Ｓ３６４）、メイン画面には、これと共に放送コンテンツが継続的に再生されるように構成される。（Ｓ３６６）。
【００６０】
次に、顧客端末３００が、前記広告情報リスト画面ユーザインターフェース１２０を介した注文可否（Ｓ３６８）に対して広告管理サーバー１２０に注文／予約要請などを行う場合（Ｓ３７０）、前記広告管理サーバー１２０の注文関連モジュール１２５は、注文関連情報を生成／保存し（Ｓ３７２）、広告主端末２００には、注文関連情報画面を提供する（Ｓ３７４）。
【００６１】
また、前記広告管理サーバー１２０の注文関連モジュール１２５は、前記広告主端末２００が顧客端末３００の購買注文を受け付けた場合、インスタントメッセージなどの形態で広告主の注文受付状況に対する内容を顧客端末３００に伝送するように制御する（Ｓ３７６、Ｓ３７８）。
【００６２】
言い換えれば、前記広告管理サーバー１２０の注文関連モジュール１２５は、顧客が広告情報リスト画面ユーザインターフェース１２１を通じて購買注文、配送要請、決済などを選択すれば、この情報を反映し、広告主が広告主端末２００を通じてインスタントメッセージなどを顧客端末３００に伝送しようとするとき、中継伝送する役目をし、顧客端末３００は、インスタントメッセージを受信する（Ｓ３８０）。
【００６３】
前述した本発明の好ましい実施例は、例示の目的のために開示されたものであり、本発明の属する分野における通常の知識を有する当業者なら本発明の思想と範囲中で多様な修正、変更及び付加が可能であり、このような修正、変更及び付加は、下記の特許請求範囲に属するものと見なすべきである。
【産業上の利用可能性】
【００６４】
本発明は、ＩＰＴＶやＰＣで有料放送コンテンツを視聴しようとする顧客が広告受信許容を選択した場合、放送サービス提供者が顧客から視聴料を受ける代わりに、前もって広告費を出すことを約束した広告主からお金をもらって、顧客に有料放送コンテンツを伝送した後、一定周期で画面分割技術を適用し、メインである放送コンテンツとは関係なく、分割された画面を生成し、広告主の広告コンテンツを提供する方法に関するものであり、産業上利用可能性が高い。
【符号の説明】
【００６５】
１００  ヘッドエンドシステム
１２０  広告管理サーバー
１２１  ユーザインターフェース
１２２  広告管理テーブルＤＢ
１２３  広告コンテンツＤＢ
１２４  広告関連モジュール
１２５  注文関連モジュール
１４０  放送管理サーバー
１４１  ユーザインターフェース
１４２  制御モジュール
１４３  ユーザ（広告主／顧客）ＤＢ
１４４  放送コンテンツＤＢ
１４５  画面分割設定情報ＤＢ
２００  広告主端末
３００  顧客端末
【図１】
2013516831.tif 000003
【図２】
2013516831.tif 000004
【図３】
2013516831.tif 000005
【図４】
2013516831.tif 000006
2013516831.tif 000007
2013516831.tif 000008
2013516831.tif 000009
2013516831.tif 000010
【国際調査報告】
2013516831.tif 000011
2013516831.tif 000012
2013516831.tif 000013
2013516831.tif 000014